(57)【要約】【課題】１つのシリンダロック部を有する錠本体でありながら、内外の両側からキー操作が可能な両面シリンダ錠を提供する。【解決手段】錠本体と鍵とを有するシリンダ錠において、錠本体は、一つのシリンダロック部２と、室外側、室内側のそれぞれに面した鍵の差込口を有しており、該鍵には２つの係合部群４００，４０１が形成されていると共に、各係合部群はピン２４ａ，２４ｂ，２４ｃからなる共通のピン群に係合するように構成されている両面シリンダ錠である。一方の係合部群は、該鍵を室外側から差し込んだ時に、各係合部４０ａ，４０ｂ，４０ｃが各ピン２４ａ，２４ｂ，２４ｃに係合する位置に形成されており、他方の係合部群は、該鍵を室内側から差し込んだ時に、各係合部４０ａ，４０ｂ，４０ｃが各ピン２４ａ，２４ｂ，２４ｃに係合する位置に形成されている。【選択図】図３
2005273330.tif 000002
【特許請求の範囲】
【請求項１】
シリンダロック部を有する錠本体と  該錠本体の鍵穴に差し込まれる鍵とを有し、該鍵に設けた係合部群の各係合部が該鍵穴に突出したピン群の各ピンにそれぞれ係合することで、シリンダロック部の内筒体が回動可能となるシリンダ錠において、
該錠本体は、一つのシリンダロック部と、室外側、室内側のそれぞれに面した鍵の差込口を有しており、
該鍵には２つの係合部群が形成されていると共に、各係合部群は共通のピン群に係合するように構成されており、
一方の係合部群は、該鍵を室外側から差し込んだ時に、各係合部が各ピンに係合する位置に形成されており、
他方の係合部群は、該鍵を室内側から差し込んだ時に、各係合部が各ピンに係合する位置に形成されている、
ことを特徴とする両面シリンダ錠。
【請求項２】
請求項１に記載の両面シリンダ錠において、該錠本体は、さらに、タンブラロック部を有し、
該タンブラロック部は、固定部と、該固定部に対して回動自在の回動部と、該回動部に設けたタンブラとを有し、
該回動部は該シリンダロック部の該内筒体と嵌合しており両者は一体に回動するように構成され、
常時はタンブラが該固定部に係止することによって該回動部の回動が規制されており、
該回動部の鍵穴に鍵が差し込まれると該タンブラと該固定部との係合が解除され、該回動部の回動が可能となるように構成されていることを特徴とする両面シリンダ錠。
【請求項３】
請求項２において、該タンブラロック部は該シリンダロック部の室内側に位置して配設されていることを特徴とする両面シリンダ錠。
【請求項４】
請求項１乃至３いずれかに記載の両面シリンダ錠において、該鍵はディンプルキーであり、該係合部群は、鍵の差込部の面部に形成された凹状の複数のピン受部からなる群であることを特徴とする両面シリンダ錠。
【請求項５】
錠本体の鍵穴への差込部を有するディンプルキーにおいて、該差込部には、差込方向に２つのピン受部群が形成されており、各ピン受群は共通のピン群に係合するように構成されていることを特徴とする両面シリンダ錠のディンプルキー。
【発明の詳細な説明】
【技術分野】
【０００１】
本発明は、両面シリンダ錠に係り、好ましくは、シャッター装置に用いられる両面シリンダ錠に関するものである。
【背景技術】
【０００２】
建物開口部をシャッターカーテンによって閉鎖する場合に、シャッター錠を設けることで、シャッターカーテンによる開口部の閉鎖状態を維持する。従来のシャッター錠は、錠本体がシャッターカーテンの面部に設置されており、室外側からはキー操作、室内側からはつまみの回動操作によって施錠・解錠を行うように構成されている。キー操作やつまみの回動操作によって、錠本体の回動部に連繋する係止部が開口部左右両側部に設けたガイドレール枠内や床枠内に突出して、該係止部によって、シャッターカーテンの上動を規制する。
【０００３】
しかしながら、最近では、シャッターカーテンを切り破って開口を形成し、該開口から手を入れて室内側のつまみを回して解錠を行い、シャッターカーテンを持ち上げて室内に侵入するという犯罪も起きている。
【０００４】
ここで、室内側からもキー操作を行うことで施錠・解錠操作を行うようにすれば、仮にシャッターカーテンが切り破られたような場合であっても、解錠操作を行うことはできない。室外側と室内側の両側からキー操作を行うには、それぞれのキー操作に対応するために２つのシリンダロック部を有する錠本体を用意する必要がある。２つのシリンダロック部を有する錠本体は例えば特開平２−２２１５７３号の図９に記載されている。
【０００５】
しかしながら、錠本体に２つのシリンダロック部を設けるとなると、扉体に設置される錠本体の扉体の見込方向の寸法が大きくなってしまう。特に、シャッターカーテンを構成するスラットは、通常のドアに比べて肉薄であり、シャッターカーテンに２つのシリンダロック部を有するような錠本体を設けることは困難である。
【０００６】
また、扉体にシリンダ錠を設けて扉体の開放を防止しても、前述のシャッターカーテンを切り破る手口の他に、室外側に面する鍵穴の差込口から冶具を挿入するという、いわゆるピッキングによって、シリンダ錠を解錠して、扉体を開放して室内に侵入する犯罪も起きている。シリンダ錠におけるピッキングについては、例えば、特開２００２−２７６２１０に記載されている。
【発明の開示】
【発明が解決しようとする課題】
【０００７】
本発明は、上記不具合を解決するために創案されたものであって、１つのシリンダロック部を有する錠本体でありながら、内外の両側からキー操作が可能な両面シリンダ錠を提供することにある。
【０００８】
本発明の他の目的は、シリンダ錠におけるピッキングを困難にすることにある。
【課題を解決するための手段】
【０００９】
かかる課題を達成するために本発明が採用した技術手段は、シリンダロック部を有する錠本体と該錠本体の鍵穴に差し込まれる鍵とを有し、該鍵に設けた係合部群の各係合部が該鍵穴に突出したピン群の各ピンにそれぞれ係合することで、シリンダロック部の内筒体が回動可能となるシリンダ錠において、該錠本体は、一つのシリンダロック部と、室外側、室内側のそれぞれに面した鍵の差込口を有しており、該鍵には２つの係合部群が形成されていると共に、各係合部群は共通のピン群に係合するように構成されている両面シリンダ錠である。一方の係合部群は、該鍵を室外側から差し込んだ時に、各係合部が各ピンに係合する位置に形成されており、他方の係合部群は、該鍵を室内側から差し込んだ時に、各係合部が各ピンに係合する位置に形成されている。
【００１０】
シリンダロック部は、好ましい態様では、外筒体と、該外筒体に回転可能に嵌挿された内筒体と、外筒体に設けた複数の上ピンと、内筒体に設けた複数の下ピンとを有し、鍵を内筒体の鍵穴に挿入すると、鍵に設けた係合部群の各係合部が鍵穴に突出した各下ピンにそれぞれ係合することで、外筒体と内筒体の境界線と上下両ピンの境界線とを一致させて該内筒体が回動可能となるように構成されている。
【００１１】
錠本体の鍵穴に差し込まれる鍵は、一つの好ましい態様では、該係合部群は、鍵の差込部の面部に形成された凹状の複数のピン受部からなる群である。このような鍵としては、ディンプルキーで挙げられる。
【００１２】
好ましくは、該錠本体は、さらに、タンブラロック部を有する。タンブラロック部は、固定部と、該固定部に対して回動自在の回動部と、該回動部に設けたタンブラとを有し、該回動部は該シリンダロック部の該内筒体と嵌合しており両者は一体に回動するように構成されている。常時はタンブラが該固定部に係止することによって該回動部の回動が規制されており、該回動部の鍵穴に鍵が差し込まれると該タンブラと該固定部との係合が解除され、該回動部の回動が可能となるように構成されている。さらに好ましくは、該タンブラロック部は該シリンダロック部の室内側に位置して配設されている。
【００１３】
本発明が採用した他の技術手段は、両面シリンダ錠のディンプルキーに係り、錠本体の鍵穴への差込部を有するディンプルキーにおいて、該差込部には、差込方向に２つのピン受部群が形成されており、各ピン受群は共通のピン群に係合するように構成されていることを特徴としている。
【発明の効果】
【００１４】
本発明においては、一つのシリンダロック部を有する錠本体でありながら、内外の両側からキー操作が可能な両面シリンダ錠を提供することができ、錠本体の鍵の差込方向の寸法もシリンダロック部一つ分で良いので、厚みが比較的小さい扉体（例えば、シャッターカーテン）に対しても良好に設置することができる。
【００１５】
シリンダロック部に加えてタンブラロック部を備えたものでは、タンブラロック部のロックを解除しないとシリンダロック部の内筒体の回転ができないので、ピッキング等に良好に対処することができる。特に、タンブラロック部をシリンダロック部の室内側に設けることで、室外側からのタンブラロック部のロック解除を困難とすることができる。
【発明を実施するための最良の形態】
【００１６】
図１は、本発明に係る錠装置を示す全体図であって、錠装置は、扉体に設けられる錠本体と、該錠本体に差込自在のキーとから構成される。錠本体は、ケーシング１と、ケーシング１に内装されたシリンダロック部２及びタンブラロック部３と、から構成される。キーは、ディンプルキー４から構成される。錠装置は、表側（室外側）及び裏側（室内側）の両面からキー４の差し込みが可能な両面シリンダ錠であり、シリンダロック部２が表側に、タンブラロック部３が裏側に位置するようにして、ケーシング１内に設けてある。ケーシング１は図示しないシャッタースラットに取り付けられ、シリンダロック部２の鍵穴２１０の差込口が室外側に、タンブラロック部３の鍵穴３０３の差込口が室内側に面することになる。シリンダロック部２の室外側に面する部位にはキャップ５が被冠されている。
【００１７】
シリンダロック部２は、外筒体２０と外筒体２０内に回転可能に設けられる内筒体２１とを有し、内筒体２１にはディンプルキー４を差し込むための鍵穴２１０が形成されており、鍵穴２１０の差込口にはバネを用いたスライド板２１１が設けてある。内筒体２１のタンブラブロック部３に面する部位には、タンブラブロック部３の回転部に対して嵌合するための嵌合部２１２が突成されている。外筒体２０及び内筒体２１にはそれぞれ複数のピン孔が形成されており、外筒体２０のピン孔と内筒体２１のピン孔とは連通して連続状のピン孔を形成するようになっている。
【００１８】
外筒体２０のピン孔には、バネ２２ａ，２２ｂ，２２ｃによって内筒体２１側へ付勢された上ピン２３ａ，２３ｂ，２３ｃが、内筒体２１のピン孔には下ピン２４ａ，２４ｂ，２４ｃがそれぞれ設けてある。常時は、バネ２２ａ，２２ｂ，２２ｃによって上ピン２３ａ，２３ｂ，２３ｃの先端部が内筒体２１のピン孔内に突出して係止することで、内筒体２１の回転が規制されている。また、上ピン２３ａ，２３ｂ，２３ｃによって下ピン２４ａ，２４ｂ，２４ｃの先端部が鍵穴２１０に突出している。
【００１９】
ディンプルキー４を差込口から鍵穴２１０に挿入することで、ディンプルキー４の所定部位に形成された凹状のピン受部４０ａ，４０ｂ，４０ｃに各下ピン２４ａ，２４ｂ，２４ｃが係合し、各下ピン２４ａ，２４ｂ，２４ｃがバネ２２ａ，２２ｂ，２２ｃによる付勢に抗して予め設定された寸法だけ外筒体２０側へ移動し、外筒体２０と内筒体２１との境界と上ピン２３と下ピン２５の境界が一致して、内筒体２１の回転の規制が解除され、キー４を回すことで内筒体２１の回転が可能となる。
【００２０】
本発明に係る錠装置は、室外側と室内側の両側から操作可能な両面シリンダ錠であるが、錠本体は、１つのシリンダロック部２から構成されている。１つのシリンダロック部２から錠本体を構成したことで、２つのシリンダ部を有する錠本体に比べて、錠本体全体の扉体の見込方向の厚みを薄くすることが可能となる。したがって、本発明に係る錠装置は、比較的薄肉の扉体、例えばシャッターカーテンのスラットに取り付ける場合に有利である。
【００２１】
図２は本発明に係るディンプルキー４を示す図であって、キー４は板状の差込部４１と差込部４１の基端側に一体形成された掴み部４２と、差込部４１に差込方向に延出状に形成した直線状の溝部４３と、差込部１の基端側に形成した位置決当接部４４とを有する。キー４の差込部４１の先端は先細り状に形成されており、鍵穴２１０，３０３へのキー４の差し込みを容易にしている。ディンプルキー４の差込部４１には、差し込み方向に２つのピン受部群４００，４０１が形成されており、一方のピン受部群４００はキー４を一方から差し込んだ時に、シリンダロック部２に係わる位置に形成されており、他方のピン受部群４０１はキー４を他方から差し込んだ時に、シリンダロック部２に係わる位置に形成されている。
【００２２】
実施例に示す錠装置では、シリンダロック部２が表面側寄りに位置しているので、表面からの差込時に使用するピン受部群４００が差込部４１の基端側に、裏面からの差込時に使用するピン受部群４０１が差込部４１の先端側に形成されている。図示のものでは、各ピン受部群４００，４０１は３つの凹部４０ａ，４０ｂ，４０ｃから構成されており、各凹部４０ａ，４０ｂ，４０ｃがそれぞれ対応するピン２４ａ，２４ｂ，２４ｃの先端部を受け入れるように設定されている。
【００２３】
図３は、本発明に係る錠装置の回転部を示しており、シリンダロック部２の回転体である内筒体２１、タンブラロック部３の回転体３０を示しており、内筒体２１と回転体３０とは嵌合部２１２、嵌合受部３０４によって一体に回転するように嵌合されており、キー４の差込部４１は内筒体２１の鍵穴２１０、回転体３０の鍵穴３０３内に挿入されている。キー４の差込部４１に形成された複数のピン受部は、キー４の当接部４４が錠装置の内外の面部に当接した時に、各下ピンを受け入れる位置に来るようになっている。図３に示すキー４が差し込まれた状態では、内筒体２１の回動規制及び回転体３０の回動規制が共に解除されており、キー４を回すことで、内筒体２１と回転体３０とが一体に回転する。
【００２４】
図３上図は、キー４を表面から差し込んだ状態を示す図であり、キー４の差込部４１の先端側が回転体３０の鍵穴３０３に位置しており、差込部４１の基端側が内筒体２１の鍵穴２１０に位置しており、各凹部４０ａ，４０ｂ，４０ｃがそれぞれ対応するピン２４ａ，２４ｂ，２４ｃの先端部を受け入れている。
【００２５】
図３下図は、はキー４を裏面から差し込んだ状態を示す図であり、キー４の差込部４１の基端側が回転体３０の鍵穴３０３に位置しており、差込部４１の先端側が内筒体２１の鍵穴２１０に位置しており、各凹部４０ａ，４０ｂ，４０ｃがそれぞれ対応するピン２４ａ，２４ｂ，２４ｃの先端部を受け入れている。タンブラロック部のロックは、後述するように、キー４が差し込まれることで解除される。
【００２６】
タンブラロック部３は、円板状の回転体３０と、リング状の固定部３１と、固定部３１に対する回転体３０の回転を規制するタンブラ３２とを有する。固定部３１はケーシング１の裏側の壁面に固定されており、固定部３１に対して回転体３０が回転するようになっている。常時はタンブラ３２によって円板状の回転体３０の回転が規制されており、キー４を差し込むことでタンブラ３２による回転体３０の回転規制が解除される。
【００２７】
回転体３０は、円板状の大径の面部３００と、面部３００の一面側の周縁に立ち上がり状に形成した周縁部３０１と、面部３００の中央部位に位置して、周縁部３０１と同じ側に、盛り上がり状に形成した小径の中央肉厚部３０２とを有する。回転体３０の中央部位には、キー４を受け入れる鍵穴３０３が形成されている。面部３００の他面側はシリンダロック部２側に面しており、面部３００の中央部位にはシリンダロック部２の嵌合部２１２を受け入れる嵌合受部３０４が形成されている。嵌合受部３０４と鍵穴３０３とは連通している。シリンダロック部２の内筒体２１とタンブラブロック部３の回転体３０とは、嵌合部２１２と嵌合受部３０４とが互いに嵌合することで一体に回転する。したがって、円板状の回転体３０の回転が規制されることで、シリンダロック部２の内筒体２１の回転も規制される。
【００２８】
回転体３０の中央肉厚部３０２の基端側（面部３００側）には、鍵穴３０３の方向（差込方向）と直交するように、タンブラ３２を受け入れる溝部３０５が形成されている。溝部３０５は縦長の略方形状の形状を有し、上端側が開口状となっている。溝部３０５の上半部は下半部に比べて幅広になっており、上半部と下半部の境界に肩部３０６が形成されている。
【００２９】
リング状の固定部３１は、略円形状の外周面３１０と内周面３１１とを有し、外周面３１０には回転体３０の周縁部３０１の内周面が、内周面３１１には回転体３０の中央肉厚部３０２の外周面が摺接するようになっており、リング状の固定部３１は、円板状の回転体３０を周方向に回転可能に受け入れている。内周面３１１には、上下に位置して対向状の凹部３１２が形成されている。回転体３０を固定部３１に取り付けた時には、上下の凹部３１２は、回転体３０の溝部３０５と同じ鉛直面内に位置している。回転体３０の溝部３０５といずれかの凹部３１２とが連通した時に、タンブラ３２の上端部は、溝部３０５の上方の開口から凹部３１２に突出するようになっている。
【００３０】
タンブラ３２は、上下の短辺３２０，３２１と左右の長辺３２２，３２３とを有する略長方形状の平板部材であり、面部の略中央にキー４を挿通させる開口部３２４が形成されている。タンブラ３２は回転部３０の溝部３０５内に挿入されている。一方の長辺３２２の上方部位に爪部３２５が突成されている。爪部３２５と肩部３０６との間にはスプリング３２６が設けてあり、爪部３２５はスプリング３２６によって上方に押し上げられている。爪部３２５がスプリング３２６によって上方に押されることで、タンブラ３２の上端部位が溝部３０５からリング状の固定部３１の上側の凹部３１２内に突出することになる。この状態では、タンブラ３２の上端部位が固定部３１の凹部３１２に係止することによって、回転体３０の回転が規制されている。タンブラ３２の上辺３２０は、回転体３０の中央肉厚部３０２の外周面に沿った形状を有しており、スプリング３２６の力に抗してタンブラ３２が下方に押し下げられるとタンブラ３２による回動規制が解除され、回転体３０の回転が可能となる。
【００３１】
タンブラロック部３の動きについて図５、図６に基づいて説明する。図５−１はタンブラロックが働いている状態を示しており、回転体３０の溝部３０５内のタンブラ３２がスプリング３２６によって上方に押し上げられており、タンブラ３２の上端部が固定部３１の内周面３１１に形成された凹部３１２内に突出している。この状態では、回転体３０の回転はタンブラ３２によって規制されており、回転体３０の回転が規制されることで、回転体３０と嵌合したシリンダロック部２の内筒体２１の回転も規制される。したがって、タンブラロック時には、シリンダロック部２の内筒体２１のみを回動させることはできず、ピッキング等によってシリンダロック部２のピンを操作して内筒体２１を回転させることを防止する。
【００３２】
図５−２はタンブラ解除時を示している。図５における１から２のタンブラの動きを図６に示す。表側あるいは裏側からキー４を鍵穴３０３に差し込むと、キー４の差込部４１に形成された溝部４３が、鍵穴３０３内の突条３０３Ａに案内されながら鍵穴３０３及びタンブラ３２の開口部３２４に入っていることで、スプリング３２６に抗して、タンブラ３２を下方に押し下げ、タンブラ３２の上端部が固定部３１の凹部３１２内から下方に移動して回転体３０の中央肉厚部３０２の外周面と一致するようになり、タンブラ３２のロックが解除され、回転体３０の回転が可能となる。キー４によってタンブラ３２のロックが解除された状態では、シリンダロック部２の内筒体２１の回動規制も解除されている。
【００３３】
図５−３は回転体３０の回転時を示す図であり、キー４を差し込むことで、回転体３０は１８０度の範囲内で回転自在となっている。図７に示すように、回転体３０の面部３００には、周縁部３０１と中央肉厚部３０２の間の空間に面して半円の円弧状の案内溝３０７が形成されている。一方、図８に示すように、リング状の固定部３１には案内突起３１３が形成されており、回転体３０の回転時には、案内突起３１３が案内溝３０７内を移動するようになっている。案内突起３１３が案内溝３０７の端部に当接した時に、案内溝３０５と凹部３１２の位置が一致して、キー４を外すことで、タンブラ３２が凹部３１２に突出するタンブラロック部となる（図５−４参照）。尚、図４上図における符号６は、アクションボールである。
【産業上の利用可能性】
【００３４】
本発明は、シャッター装置に設置される錠に用いることができる。
【図面の簡単な説明】
【００３５】
【図１】本発明に係る両面シリンダ錠を示す図である。
【図２】本発明に係るディンプルキーを示す図である。
【図３】上図は、キーを裏面から差し込んだ状態を示す図であり、下図は、はキーを裏面から差し込んだ状態を示す図である。
【図４】タンブラロック部の断面図であり、上図はタンブラロック時、下図はタンブラ解除時を示している。
【図５】タンブラロック部の動きを説明する図であり、１：タンブラロック時、２：タンブラ解除時、３：回転時、４：タンブラロック時、を示している。
【図６】図６において、１から２へのタンブラの動きを説明する図である。
【図７】円板状の回転体を示す図である。
【図８】リング状の固定部を示す図である。
【図９】タンブラを示す図である。
【符号の説明】
【００３６】
１  ケーシング
２  シリンダロック部
２０  外筒部
２１  内筒部
２１０  鍵穴
２１２  嵌合部
３  タンブラロック部
３０  回動体
３０３  鍵穴
３０４  嵌合受部
３１  固定体
３２  タンブラ
【図１】
2005273330.tif 000003
【図２】
2005273330.tif 000004
【図３】
2005273330.tif 000005
【図４】
2005273330.tif 000006
【図５】
2005273330.tif 000007
【図６】
2005273330.tif 000008
【図７】
2005273330.tif 000009
【図８】
2005273330.tif 000010
【図９】
2005273330.tif 000011